(57)【要約】【課題】簡単な操作でボイスメールを送信可能な携帯端末装置を提供する。【解決手段】携帯端末装置に備えられた複数のキーの少なくともひとつに対応してそれぞれメールの送信先を示す宛先情報が保持されている宛先情報保持部と、宛先情報に対応するキーのいずれかに対して、ボイスメール機能の実行を指示する操作が継続されている間にわたって、入力される音声を録音する録音部と、ボイスメール機能の実行を指示する操作の継続の終了を契機として、操作の開始から終了までの間に録音部で録音された音声に基づいてボイスメールを作成するメール作成部と、操作の継続の終了を契機として、操作の対象となったキーに対応して宛先情報保持部に保持された宛先情報で示される宛先に作成されたボイスメールを送信する送信部とを備える。【選択図】      図２
2010193294.tif 000002
【特許請求の範囲】
【請求項１】
携帯端末に備えられた複数のキーの少なくともひとつに対応してそれぞれメールの送信先を示す宛先情報が保持されている宛先情報保持部と、
前記宛先情報に対応するキーのいずれかに対して、ボイスメール機能の実行を指示する操作が継続されている間にわたって、入力される音声を録音する録音部と、
前記ボイスメール機能の実行を指示する操作の継続の終了を契機として、前記操作の開始から終了までの間に前記録音部で録音された音声に基づいてボイスメールを作成するメール作成部と、
前記操作の継続の終了を契機として、前記操作の対象となったキーに対応して前記宛先情報保持部に保持された宛先情報で示される宛先に前記作成されたボイスメールを送信する送信部と
を備えたことを特徴とする携帯端末装置。
【請求項２】
請求項１に記載の携帯端末装置において、
前記録音部は、前記宛先情報に対応するキーのいずれかの押下状態が継続している期間にわたって、入力される音声を録音し、
前記メール作成部は、前記宛先情報に対応するキーのいずれかの押下状態の解除に応じて、ボイスメールの作成を行って、前記送信部による送信処理に供する
ことを特徴とする携帯端末装置。
【発明の詳細な説明】
【技術分野】
【０００１】
本発明は、ボイスメール機能を有する携帯端末装置に関する。
【背景技術】
【０００２】
携帯端末装置には、指定した宛先に録音した音声を含むメールを送信するボイスメール機能を有している機種がある。
【０００３】
また、任意の複数の相手とあたかも会話をしているかのようにボイスメールをやり取りする音声同報通信機能つき携帯電話機なども提案されている(特許文献１参照)。
【０００４】
この音声同報通信機能つき携帯電話機では、まず、アドレス帳などから複数の送信先が指定された後、オフフックボタンの押下などにより発信操作が指示されたときに、音声メールの送信のための処理を自動的に開始する。その後、音声メッセージが入力され、入力の終了後にオンフックボタンの押下などにより終話操作が指示されたときに、録音された音声メッセージに基づいて音声データを含む音声メールを作成し、指定された複数の送信先に送信する。
【発明の概要】
【発明が解決しようとする課題】
【０００５】
従来のボイスメール機能では、音声メッセージを録音した後に、送信先をアドレス帳などから選択する操作や、ボイスメールとして送信する機能を利用する旨を指示する操作を行っていた。
【０００６】
また、音声同報通信機能つき携帯電話機では、複数の送信先を指定した上で、発信操作と終話操作を行っていた。
【０００７】
このような操作は、通常複数のボタンを所定の順序で押下する操作であるために、高齢者や視覚障害を持つ人にとっては、非常にわずらわしいものであった。
【０００８】
本件開示の装置は、簡単な操作でボイスメールを送信可能な携帯端末装置を提供することを目的とする。
【課題を解決するための手段】
【０００９】
上述した目的は、以下に開示する携帯端末装置によって達成することができる。
【００１０】
一つの観点による携帯端末装置は、携帯端末装置に備えられた複数のキーの少なくともひとつに対応してそれぞれメールの送信先を示す宛先情報が保持されている宛先情報保持部と、宛先情報に対応するキーのいずれかに対して、ボイスメール機能の実行を指示する操作が継続されている間にわたって、入力される音声を録音する録音部と、ボイスメール機能の実行を指示する操作の継続の終了を契機として、操作の開始から終了までの間に録音部で録音された音声に基づいてボイスメールを作成するメール作成部と、操作の継続の終了を契機として、操作の対象となったキーに対応して宛先情報保持部に保持された宛先情報で示される宛先に作成されたボイスメールを送信する送信部とを備える。
【発明の効果】
【００１１】
以上に説明した携帯端末装置によれば、簡易で直感的な操作で利用可能なボイスメール機能を実現することができる。
【図面の簡単な説明】
【００１２】
【図１】携帯端末装置の構成を示す図である。
【図２】ボイスメール制御部の構成を示す図である。
【図３】登録された宛先情報の例を示す図である。
【図４】ボイスメール送信操作例を示す図である。
【図５】ボイスメール送信動作を表す流れ図である。
【図６】宛先情報登録動作を表す流れ図である。
【発明を実施するための形態】
【００１３】
以下、図面に基づいて、本発明の携帯端末装置についての一実施形態について説明する。
【００１４】
図１に、携帯端末装置の構成を示す。
【００１５】
携帯端末装置は、無線送受信部２０１、音声処理部２０５、液晶表示部２０６を備えている。これらの各部は電源部２０２から駆動電力の供給を受けており、また、ＣＰＵ２１０によって制御される。
【００１６】
また、図１に示した音声信号処理部２０５は、マイク２０３を介して入力された音声信号を符号化する処理および符号化された音声符号から音声信号を再生して、スピーカ２０４による音声出力に供する処理を行う。
【００１７】
ＣＰＵ２１０は、携帯端末装置の利用者がキーパッド２０７を操作して入力した指示に応じて、発着信に関する呼処理やインターネット接続機能を利用したメール送受信処理など様々な処理を行い、その際に必要な情報をメモリ部２０８に保持させる。
【００１８】
以下、操作を簡易化したボイスメール機能を実現するための構成について詳細に説明する。
【００１９】
図２に、ボイスメール制御部の構成を示す。
【００２０】
図２に示したキーパッド２０７に対する操作を表すキー操作情報は、ＣＰＵ２１０内部に設けられた端末制御部２１１を介してボイスメール制御部２１２に渡される。ボイスメール制御部２１２の操作検出部２２１は、端末制御部２１１から渡されるキー操作情報に基づいて、キーパッド２０７に設けられたキーのいずれかについての長押し操作を検出する。そして、長押し操作を検出したときに、操作検出部２２１は、メモリ２０８に設けられた宛先情報保持部２２２に保持されている宛先情報に基づいて、そのキーにボイスメールの送信先が登録されているか否かを判定する。そして、この判定結果に応じて、操作検出部２２１は、録音制御部２２３およびメール作成部２２４に対する指示を行う。
【００２１】
メモリ２０８に設けられた宛先情報保持部２２２には、キーパッド２０７に備えられた各キーに対応して、ボイスメールの送信先を示す宛先名およびメールアドレスを含む宛先情報が保持されている。
【００２２】
図３に、登録された宛先情報の例を示す。図３の例では、数字キー「２」、「５」、「８」に対応して、それぞれ宛先名「Ａ医院」、「Ｂ病院」および「Ｃケアサービス」とそれぞれのメールアドレスが登録されている。
【００２３】
また、図２に示した録音制御部２２３は、操作検出部２２１からの指示に応じて、マイク２０３を介して入力される利用者の音声を録音する。録音制御部２２３は、操作検出部２２１からの開始指示に応じて、音声信号処理部２０５を介してマイク２０３から入力される音声信号を受け取って録音する処理を開始する。また、操作検出部２２１からの終了指示に応じて、録音制御部２２３は、音声信号の録音処理を終了し、録音した音声信号をメール作成部２２４に渡す。つまり、図２に示した実施形態では、操作検出部２２１からの指示に応じて、録音制御部２２３が音声信号処理部２０５を介してマイク２０３から入力される音声信号を受け取って録音することにより、録音部の機能を実現している。
【００２４】
このようにして録音された音声信号に基づいて、メール作成部２２４は、音声ファイルを作成する。また、メール作成部２２４は、操作検出部２２１から宛先情報を受け取り、この宛先情報で指定されたメールアドレスを宛先とし、上述した音声ファイルを含むボイスメールを作成する。
メール作成部２２４によって作成されたボイスメールは、操作検出部２２１からの指示に応じて、メール送受信部２１３によるメール送信処理に供される。そして、通常のボイスメールと同様にして、呼制御部２１５、無線制御部２１６および無線送受信部２０１の機能により、無線送信される。つまり、図２に示した実施形態では、メール送受信部２１３が、操作検出部２２１からの指示を契機として、メール作成部２２４によって作成されたボイスメールの送信処理を行うことにより、送信部の機能を実現している。
【００２５】
このように構成された携帯端末装置では、宛先保持部２２２に宛先情報が登録されているキーに対してボイスメール機能の実行を指示する操作が行われると、マイク２０３から入力される音声の録音が開始される。そして、この操作が継続されている期間にわたって、音声の録音動作も継続される。その後、上述した操作の継続が終了したときに、メール作成部２２４により、操作の継続期間に録音された音声に基づくボイスメールが作成される。また、作成されたボイスメールは、上述した操作の継続終了を契機として、メール送受信部２１３によるメール送信処理に供され、操作されたキーに対応する宛先に送信される。
【００２６】
以下、キーパッドの操作に応じてボイスメールを送信する処理および宛先情報の登録処理について詳細に説明する。
【００２７】
図４に、ボイスメール送信操作例を示す。また、図５に、ボイスメール送信動作を表す流れ図を示す。
【００２８】
以下では、図３に示したような宛先情報が宛先情報保持部２２２に登録されており、この宛先情報を用いて、ボイスメールの送信を行う場合について説明する。また、図４の操作例では、キーパッドの数字キー「８」が押下されている。
【００２９】
例えば、数字キー「８」が長押しされた場合に、操作検出部２２１は、端末制御部２１１からの操作情報に基づいて、ボイスメール送信のための長押しであるか否かを判定する(ステップ３０１)。例えば、操作検出部２２１は、端末制御部２１１からキーの押下状態の継続時間を示す操作情報を受け取り、継続時間が所定の閾値を超えたときに、ボイスメール送信のための長押しが行われたと判断することができる(ステップ３０１の肯定判定)。
【００３０】
この場合は、次に、操作検出部２２１は、宛先情報保持部２２２を参照して、長押しが検出されたキーに対応して宛先情報が登録されているか否かを判定する(ステップ３０２)。
【００３１】
宛先情報保持部２２２に宛先情報が登録されている場合に(ステップ３０２の肯定判定)、操作検出部２２１は、押下されたキーに対応する宛先情報を宛先情報保持部２２２から抽出し、また、録音制御部２２３に録音動作を開始させる(ステップ３０３，３０４)。このとき、操作検出部２２１は、抽出した宛先情報をメール作成部２２４に渡し、この宛先情報で示される宛先へのメールの作成を依頼しておくこともできる。
【００３２】
次いで、操作検出部２２１は、ステップ３０５を繰り返してキー押下状態の解除を待ち合わせる。このとき、マイク２０３を介して入力された利用者の音声は、音声信号処理部を介して録音制御部２２３で録音される。つまり、キーが押下されている状態が継続している間にわたって利用者の音声メッセージが継続して録音される。
【００３３】
その後、端末制御部２１１からキーの押下状態が解除された旨が通知されたときに(ステップ３０５の肯定判定)、操作検出部２２１は、録音制御部２２３に録音動作を停止させる(ステップ３０６)。これに応じて、録音制御部２２３により、それまでに録音された音声信号がメール作成部２２４に渡される。
【００３４】
メール作成部２２４は、録音制御部２２３から受け取った音声信号を含む音声ファイルを作成し、上述した宛先情報に基づいて作成したメールに、この音声ファイルを添付してボイスメールを作成する(ステップ３０７)。このメール作成部２２４で作成されたボイスメールは、従来のボイスメールと同様に、メール送受信部２１３によるメール送信処理により無線送信される(ステップ３０８)。
【００３５】
このようにして、キー押下の開始に応じて音声の録音を開始し、キー押下の解除に応じて、録音した音声メッセージを含むボイスメールを自動的に作成し、押下したキーに対応する宛先に送信することができる。
【００３６】
このように、図２に示したボイスメール制御部２１２を備えた携帯端末装置では、単一のキーの押下操作によって、音声信号の録音開始・終了と送信開始タイミングおよびボイスメールの宛先を指示するワンプッシュボイスメール機能を実現することができる。
【００３７】
このようなワンプッシュボイスメール機能を備えた携帯端末装置では、宛先情報が登録されたキーを押下しながら音声メッセージを録音し、音声メッセージの終了とともにキーを放すという非常に簡易な操作でボイスメールを送信することができる。
【００３８】
これにより、複雑な操作を敬遠する傾向を持つ利用者も、気軽にボイスメール機能を利用することが可能となるので、ボイスメール機能の利用者を大幅に拡大することができる。
【００３９】
また、上述したような簡易な操作は、手探りで携帯端末装置を操作するような状況でも十分に可能であるので、暗闇の中で緊急に助けを呼びたい場合などにもボイスメール機能を利用することができる。
【００４０】
例えば、図３に示したように、数字キー「５」とその上下左右に配置された数字キーに宛先情報を登録した場合は、数字キー「５」に形成された目印を頼りに、手探りでも容易に所望の宛先が登録された数字キーを探し当てることができる。
【００４１】
このように、上述したワンプッシュボイスメール機能を搭載した携帯端末装置によれば、視覚に障害を持つ利用者にも、ボイスメール機能を利用したサービスを提供することができる。
【００４２】
なお、宛先情報を登録するキーは、数字キーに限られず、機能キーに宛先情報を登録することもできるし、ボイスメール専用のキーを設けることもできる。
【００４３】
また、録音開始に先立って、合図の音や振動などで利用者に録音の開始を知らせることもできる。また、操作検出部２２１が、宛先情報保持部２２２から抽出した宛先情報を端末制御部２１１に渡し、表示制御部２１４を介して液晶表示部２０６に宛先情報を表示させることもできる。図４に、数字キー「８」の長押し操作の検出に応じて、宛先情報保持部２２２に保持された数字キー「８」に対応する宛先情報を液晶表示部２０６に表示させた例を示した。
【００４４】
次に、上述した宛先情報保持部２２２に宛先情報を登録する処理について説明する。
【００４５】
図６に、宛先情報登録動作を表す流れ図を示す。
【００４６】
登録制御部２２６は、端末制御部２１１から渡されるキー操作情報を監視し、所定の手順でキーパッド２０７のキーが操作されたときに、ボイスメールの宛先を登録する操作を検出したと判断する(ステップ３１１の肯定判定)。登録制御部２２６は、例えば、メニューからボイスメール機能の設定を選択し、宛先情報の新規登録あるいは変更を選択する操作を示すキー操作情報を端末制御部２１１から受け取ったときに、ステップ３１１の肯定判定とすればよい。
【００４７】
その後、登録制御部２２６は、登録先のキーの指定を受け付け(ステップ３１２)、続いて、登録する宛先名と送信先のメールアドレスを受け付ける(ステップ３１３)。次いで、登録制御部２２６は、これらを含む宛先情報を、宛先情報保持部２２２に指定された登録キーに対応して記録して(ステップ３１４)、宛先情報の登録動作を終了する。
【００４８】
このようにして、指定したキーに対応して、所望のメールアドレスを登録しておくことができる。
【００４９】
宛先情報として登録する送信先は、携帯端末装置のメールアドレス以外でもよい。例えば、パソコンのメールアドレスなどを宛先情報保持部２２２に登録することもできる。
【００５０】
また、図３に示したような緊急時の連絡先に限らず、親しい友人や孫などの近親者のメールアドレスを宛先情報保持部２２２に登録することもできる。このように、身近な人のメールアドレスが宛先情報として登録された場合は、ワンプッシュボイスメール機能を、身近な人との新しいコミュニケーションツールとして提供することができる。これにより、ボイスメール機能の利用を広げることができる。
【符号の説明】
【００５１】
２０１  無線送受信部
２０２  電源部
２０３  マイク
２０４  スピーカ
２０５  音声信号処理部
２０６  液晶表示部
２０７  キーパッド
２０８  メモリ部
２１０  ＣＰＵ
２１１  端末制御部
２１２  ボイスメール制御部
２１３  メール送受信部
２１４  表示制御部
２１５  呼制御部
２１６  無線制御部
２２１  操作検出部
２２２  宛先情報保持部
２２３  録音制御部
２２４  メール作成部
２２６  登録制御部
【先行技術文献】
【特許文献】
【００５２】
【特許文献１】特開２００７−２８８７０９号公報
【図１】
2010193294.tif 000003
【図２】
2010193294.tif 000004
【図３】
2010193294.tif 000005
【図４】
2010193294.tif 000006
【図５】
2010193294.tif 000007
【図６】
2010193294.tif 000008